(57)【要約】【課題】複数の座面高さで使用可能なソファーについて、低い座面で床座りの姿勢を安定してとりやすくしながら、低い座面と通常の高さの座面との同時使用を可能にする。【解決手段】着座部１１を有するソファー本体１０と着座部１１に配置される座クッション２０Ａとを備えたソファー１１において、その座クッション２０Ａがクッション本体２１の前部所定位置からこれに対し１．２倍以上の前後幅と３分の１以下の厚さを有した可撓性のあるマット体２２Ａが所定の左右幅で延設されてなるものとして、マット体２２Ａを着座部１１のクッション本体２１から床面まで垂らして所定の範囲部分を床面上で平らに敷くことで床座り用マットして使用可能となり、マット体２２Ａを持ち上げてクッション本体２１上面側に巻き付けることでクッション本体２１と一体化させて使用可能となるものとした。【選択図】図１
2014144089.tif 000002
【特許請求の範囲】
【請求項１】
平坦な上面の着座部を有するソファー本体と前記着座部に配置される所定厚さの座クッションとを備えたソファーにおいて、前記座クッションは、クッション本体の前部所定位置から該クッション本体に対し１．２倍以上の前後幅と３分の１以下の厚さを有した可撓性のあるマット体が所定の左右幅で延設されてなるものとされ、前記マット体を前記着座部のクッション本体から床面まで垂らして所定の範囲部分を前記床面上で平らに敷くことで床座り用マットして使用可能となり、前記マット体を持ち上げて前記クッション本体上面側に巻き付けることで前記クッション本体と一体化させて使用可能なものとなる、ことを特徴とするソファー。
【請求項２】
前記座クッションは、前記クッション本体及び前記マット体が所定の詰物を袋状の外装地で各々被服してなる別体とされ、平面視長方形の前記クッション本体の長辺をなす前部の外装地と前記マット体の基端側の一辺をなす外装地がヒンジ状に連結されてなる、ことを特徴とする請求項１に記載したソファー。
【請求項３】
前記マット体の詰物は発泡樹脂からなり、少なくともその上面及び底面がカット面ではなく型に発泡樹脂を注入したことによる成形面からなる、ことを特徴とする請求項２に記載したソファー。
【請求項４】
前記マット体は、前記クッション本体と同等の左右幅を有した平面視略方形のものとされている、ことを特徴とする請求項１，２または３に記載したソファー。
【請求項５】
前記クッション本体の後端面と前記ソファー本体の背もたれ部前面との間には隙間が形成可能とされており、前記マット体を前記クッション本体上面側に巻き付けながら先端側を前記隙間に嵌入して固定可能とされている、ことを特徴とする請求項１，２，３または４に記載したソファー。
【発明の詳細な説明】
【技術分野】
【０００１】
本発明は、着座部に座クッションを配置してなるソファーに関し、殊に、通常の座面と床に近い低い座面による異なる高さの使用が可能なソファーに関する。
【背景技術】
【０００２】
近年、ローボードに載せて画面の位置を低くした大型テレビでテレビゲームを行ったり番組を視聴したりする家庭が増えており、テレビ画面に視線を合わせるためにローソファーやフロアソファーと呼ばれる座面の低いソファーが使用されている。しかし、低い姿勢で長時間座っていると腰に疲労がたまりやすいことに加え、複数世代住宅では低い座面を好まない年配者が同居していることもあり、同じ家庭でも低いソファーと通常の高さのソファーの両方にニーズが存在するケースも多い。
【０００３】
しかしながら、日本の住宅事情ではこの２つのニーズを一軒の家で実現することは困難である。そこで、例えば実公平７−４２３５２号公報にも記載されているように、複数の小マットを折りたたみ自在に連結し、その小マットを厚く重ねることで高い座面とし、小マットを展開することで低い座面にして使用可能としたものが市販されるようになった。
【０００４】
また、特許第３６５８６８６号公報には、中空の背もたれ部を有して折りたたんだ小マットをその背もたれ部内に収納することのできるソファーベッドも提案されており、これを用いることで低い座面で使用する際に、余った小マットを背もたれ部に収納することができ、余分なスペースをとらずに高低両方で使用可能なものとしている。
【０００５】
ところが、例えば孫、両親、祖父母が同居している三世代住宅で使用するソファーとしては、つかまり立ちの乳児が乗ったり両親が床座りの体勢で使用したりする低い座面と、祖父母が使用する通常の高さの座面の両方が想定されるところ、その使用は一家団らんの同じ時間帯がメインになるが、前述した従来のソファーであってもその両方の同時使用（共存）を実現することはできない。
【０００６】
一方、ヨガ等に代表されるような床上で行うエクササイズも多くの家庭で普及しているが、このようなエクササイズは床座りの体勢が多いことから、堅いフローリングの上では痛みを伴いやすく、柔らかすぎるものの上では姿勢の安定性に欠けてしまうという特徴を有している。
【０００７】
この場合、前述した座面の低いソファーを使用しても、そのクッション性と平坦ではない座面の形状により姿勢の安定性に欠けて使用しにくいため、通常のマットレスや座クッションよりも薄手のマットを床や畳に敷いて行うのが一般的である。しかし、このようにエクササイズのために専用のマットを使用する場合は、その出し入れのための手間とこれを収納する専用のスペースを要してしまう。
【先行技術文献】
【特許文献】
【０００８】
【特許文献１】実公平７−４２３５２号公報
【特許文献２】特許第３６５８６８６号公報
【発明の概要】
【発明が解決しようとする課題】
【０００９】
本発明は上記のような問題を解決しようとするものであり、複数の座面高さで使用可能なソファーについて、低い座面で床座りの姿勢を安定してとりやすくしながら、低い座面と通常の高さの座面との同時使用を可能にすることを課題とする。
【課題を解決するための手段】
【００１０】
そこで、本発明は、平坦な上面の着座部を有するソファー本体とその着座部に配置される所定厚さの座クッションとを備えたソファーにおいて、その座クッションは、クッション本体の前部所定位置からこれに対し１．２倍以上の前後幅と３分の１以下の厚さを有した可撓性のあるマット体が所定の左右幅で延設されてなるものとされ、そのマット体を着座部のクッション本体から床面まで垂らしてその所定の範囲部分を床面上で平らに敷くことで床座り用マットして使用可能となり、マット体を持ち上げてクッション本体上面側に巻き付けることでクッション本体と一体化させて使用可能なものとなる、ことを特徴とするものとした。
【００１１】
このように、ソファーの着座部に配置する座クッションの前部からこれよりも長い前後幅でこれよりも薄いマット体を延設し床まで垂らして床面に近い高さの床座り用の座面として使用可能としたことで、床面に敷いた薄いマットによる安定的な床座りが可能な低い座面とクッション本体による通常の座面の高低２種類の高さで同時に使用できるようになり、床座り用として使用しない場合はマット体を座クッションに巻き付けておくことで、これが邪魔になりにくい状態としながらクッション性の増したさらに高い座面で使用できるものとなる。
【００１２】
また、このソファーにおいて、その座クッションは、クッション本体及びマット体が所定の詰物を袋状の外装地で各々被服してなる別体とされ、平面視長方形のクッション本体の長辺をなす前部の外装地とマット体の基端側の一辺をなす外装地がヒンジ状に連結されてなる、ことを特徴としたものとすれば、クッション本体に対しマット体が連結部を中心にして旋回動作しやすいものとなる。
【００１３】
この場合、そのマット体の詰物は発泡樹脂からなり、少なくともその上面及び底面がカット面ではなく型に発泡樹脂を注入したことによる成形面からなる、ことを特徴としたものとすれば、詰物の上下両面に表面に向かって組織が密になった皮膜部が形成されたものとなり、薄いマットであっても適度なクッション性と強度を発揮できるものとなる。
【００１４】
さらに、上述したソファーにおいて、そのマット体はクッション本体と同等の左右幅を有した平面視略方形のものとされている、ことを特徴としたものとすれば、マット体がクッション本体と同じ幅のまま床面まで延長された状態として床座り用の座面を広く効率的に使用しやすいものとなる。
【００１５】
さらにまた、そのクッション本体の後端面とソファー本体の背もたれ部前面との間には隙間が形成可能とされており、マット体をクッション本体上面側に巻き付けながら先端側を前記隙間に嵌入して固定可能とされている、ことを特徴としたものとすれば、マット体が座クッションに巻き付けた状態で固定されてその状態を安定的に維持しやすいものとなる。
【発明の効果】
【００１６】
座クッションのクッション本体前部からこれよりも前後幅が長く３分の１以下の薄さのマット体を延設し、床まで垂らして床座り用として使用可能とした本発明によると、低い座面で床座りの姿勢を安定してとりやすくなることに加え、低い座面と通常の高さの座面との同時使用が可能なものとなる。
【図面の簡単な説明】
【００１７】
【図１】本発明における実施の形態であるソファーの斜視図である。
【図２】図１のソファーの着座部に配置する座クッションの斜視図である。
【図３】図１のソファーの側面図である。
【図４】図３の状態からマット体をクッション本体に巻き付けた状態を示す側面図である。
【図５】図１のソファーの応用例において、マット体の先端をクッション本体後端側に挟み込んで巻き付けた状態を示す側面図である。
【発明を実施するための形態】
【００１８】
以下に、図面を参照しながら、本発明を実施するための形態を説明する。
【００１９】
図１は、本実施の形態のソファー１Ａを示している。このソファー１Ａは、２人掛け用のものである場合を示しているが、図示しないフレームの所定位置にクッション材が貼付されてその表面を布等の外装地で覆われてなる平坦な上面の着座部１１と背もたれ部１２を有したソファー本体１０と、これとは別体で詰物が袋状の外装地で被服されて前記着座部１１上面に配置された座クッション２０Ａとからなる。
【００２０】
その座クッション２０Ａは、平面視長方形の蒲鉾板状に形成した発泡樹脂による詰物を外装地で覆ってなるクッション本体２１と、可撓性に富むウレタンフォーム等の発泡樹脂成形体による平板状の詰物が外装地で覆われてなりクッション本体２１に対し同一の左右幅、約１．４倍の前後幅、約５分の１の厚さを有した平面視長方形のマット体２２Ａとからなる。
【００２１】
そして、本実施の形態においては、ソファー本体１０の着座部１１上面に載せる座クッション２０Ａが、平面視長方形のマット体２２Ａの基端側の一辺をなす部分の外装地と、クッション本体２１の長辺をなす前部の外装地とがヒンジ状に連結されており、薄手のマット体２２Ａが厚手のクッション本体２１の一部から連結部を中心に旋回動作可能に延設された状態となっている点が特徴となっている。
【００２２】
即ち、このような座クッション２０Ａを有したソファー１Ａは、図示したようにクッション本体２１をソファー本体１０着座部１１上面に配置した状態で、その前部から延設されたマット体２２Ａを床面まで垂らし、その半分以上の部分を床面上で平らに敷いた状態とすることにより、床面に近い高さのマット体２２Ａ上面を座面２２ａとした床座り用マットとして使用可能なものとなり、且つ、クッション本体２１の上面がソファーにおける通常の高さの座面２１ａとして同時使用が可能なものとしている。
【００２３】
図２はソファー本体１０とは別体とされた座クッション２１を、単独で床面に置いた状態を示している。そのマット体２２Ａのサイズとしては、クッション本体２１に対し、床座り用座面を広く確保する観点からこれと同等の左右幅で１．０〜２．０倍の前後幅（好ましくは１．２〜１．６倍）、姿勢の安定性とクッション性の両立の観点から２分の１〜７分の１の厚さ（少なくとも１．５ｃｍ以上、好ましくは２．５ｃｍ前後）としたものが好適である。
【００２４】
このマット体２２Ａの詰物としては、ウレタンフォーム等の発泡樹脂成形体からなり、少なくともその上面及び底面がカット面ではなく型に発泡樹脂を注入したことによる成形面からなるものであることが、詰物の上下両面に表面に向かって組織が密になった皮膜部が形成されたものとなり薄いマットでも適度なクッション性と強度を発揮可能になる点で好ましい。
【００２５】
尚、これに用いる発泡樹脂としては、例えばポリオールとＭＤＩを混合して常温で発泡させた所謂「コールドフォーム」と呼ばれるものが、優れた触感を得られやすい点でさらに好適である。また、この座クッション２０Ａは、ソファー本体１０とは別体であることから、これを図のように単独で床に配置して単独の床座り用マットや寝転び用マットとして使用することができ、また、寝転び用の場合はマット本体２１を枕として使用することもできる。
【００２６】
図３は、座クッション２０Ａのマット体２２Ａを床面まで垂直に垂らし、床面に達した位置で水平に屈曲させて、その約３分の２の部分を床面上で平らに配置した状態を示している。マット体２２Ａをこのような配置にしたことにより、床面に近い高さ位置でクッション本体２１の座面２１ａと同等の広さの床座り用の座面２２ａが形成されたものとなる。
【００２７】
そのため、例えば３世代住宅において、足元が沈みすぎない低い座面２２ａにより、その上でつかまり立ちの幼児がクッション本体２１側につかまりながら立ち上がる練習をするのに都合がよく、たとえ転んでもマット体２２Ａ上であれば怪我をする心配もない。また、その幼児の両親は、低い座面２２ａに座りながらクッション本体２１前部を背もたれにして、つかまり立ちの子供と触れ合いながらテレビ画面を見ることができ、それと同時にその祖父母が通常の高さの座面２１ａに座って家族団らんの時間を過ごすこともできる。
【００２８】
さらに、この床座り用の座面２２ａは、前述のように適度なクッション性と強度、ある程度の広さを有しているため、その上でヨガ等のエクササイズを行うのにも適しており、姿勢の安定性を確保しやすいとともに床に当たる部分に痛みを伴いにくいエクササイズマットとして最適なものとなる。尚、マット体２２Ａの持つ適度なクッション性と優れた触感により、その上で寝転ぶだけでもリラックス感が得られるものとなる。
【００２９】
一方、図３の状態から、図４に示すようにマット体２２Ａを持ち上げてクッション本体２１の上面側に巻き付けるように配置することで、これがクッション本体２１と一体となって座クッション２０Ａのクッション性は一層良好になり、且つ、その座面２２ｂの高さは通常の座面２１ａよりも高いものとなる。このように、マット体２２Ａを床座り用として用いない場合は、専用の収納スペースを要することなく、マット体２２Ａをすぐにクッション本体２１と一体化して邪魔になりにくくすることができ、床座り用として用いる場合はすぐに床面に配置することもできる。
【００３０】
この場合、クッション本体２１とこれに重ねるマット体２２Ａを、前述のように発泡樹脂の素材又は／及び発泡状態が互いに異なるものとする等して、特性の異なる層が複合された状態とすることにより、一層複雑で繊細なクッション機能を発揮させることができ、使用者に満足感を与える贅沢な座クッションを実現しやすいものとなる。
【００３１】
図５は、上述したソファー１Ａの応用例としてのソファー１Ｂを示している。その基本的な構成は前述のソファー１Ａと同様であるが、その座クッション２０Ｂのクッション本体２３後端面と、ソファー本体１０背もたれ部１２前面との間に隙間３０が形成されていることに加え、座クッション２０Ｂのマット体２２Ｂが前述したマット体２２Ａよりも長く、これをクッション本体上面側２３に巻き付けながら先端側を隙間３０に嵌入して固定できるようになっている点を特徴としている。
【００３２】
このような構成としたことで、マット体２２Ｂを床面上に垂らした場合はその前後幅により床座り用の座面が一層広くなることに加え、そのマット体２２Ｂをクッション本体２３に巻き付けて高い座面２２ｃにしながら、その先端側をクッション本体２３後端面とソファー本体１０の背もたれ部１２前面との間で挟持させることができ、マット体２２Ｂがクッション本体２３と一体化した状態で固定されてそのまま安定するものとなる。
【００３３】
以上、述べたように、複数の座面高さで使用可能なソファーについて、本発明により、床座りの姿勢を安定してとりやすい低い座面と通常の高さの座面との同時使用が容易に実現可能なものとなった。
【符号の説明】
【００３４】
１Ａ，１Ｂ  ソファー、１０  ソファー本体、１１  着座部、１２  背もたれ部、２０Ａ，２０Ｂ  座クッション、２１，２３  クッション本体、２１ａ，２２ａ，２２ｂ，２２ｃ  座面、２２Ａ，２２Ｂ  マット体、３０  隙間
【図１】
2014144089.tif 000003
【図２】
2014144089.tif 000004
【図３】
2014144089.tif 000005
【図４】
2014144089.tif 000006
【図５】
2014144089.tif 000007